(57)【特許請求の範囲】
【請求項１】
第１の冷却貯蔵庫の一面に当接する第１の当接部と、前記第１の冷却貯蔵庫の前後への移動を規制する規制部と、この規制部の上方に位置し、第２の冷却貯蔵庫が載置される載置部と、この載置部の上方で前記第２の冷却貯蔵庫の一面に当接する第２の当接部とを有する梱包部材を設け、この梱包部材を前記第１の冷却貯蔵庫の両側に配してこの第1の冷却貯蔵庫の二面に当接させて挟持し、前記第１の冷却貯蔵庫の上方に前記第２の冷却貯蔵庫を載置可能とすると共に、前記梱包部材は連結可能とし、複数の梱包された冷却貯蔵庫を連結する前記梱包部材の少なくとも一方にワイヤを筋交いとして設けたことを特徴とする冷却貯蔵庫の梱包装置。
【発明の詳細な説明】
【０００１】
【発明の属する技術分野】
本発明は、冷却貯蔵庫をトラック等に搭載して輸送するための梱包装置に関するものである。
【０００２】
【従来の技術】
従来より、この種冷却貯蔵庫は、工場若しくは倉庫から設置現場に出荷される場合に、輸送中の冷却貯蔵庫の損傷を防止するため、種々の梱包形態が採られている。例えば、発泡スチロール製の緩衝部材を設け、冷却貯蔵庫に木枠を外側からあてがい、木枠相互を釘等にて矩形状に組み立てて梱包し輸送していた。
【０００３】
また、例えば特開平１２−２０３６８５号公報に示される如く、冷却貯蔵庫をフォークリフト搬送用のパレットに載置し、この冷却貯蔵庫にビニール袋を被せてから、更に、ダンボール等の梱包部材により冷却貯蔵庫の外側を覆い、その周囲にＰＰバンドを巻回されて締め付けられて梱包されていた。
【０００４】
【発明が解決しようとする課題】
ところで、これらの梱包手段においては、冷却貯蔵庫が個別に梱包されるので、トラックの荷台に搭載して輸送する際、荷台の上に置かれた冷却貯蔵庫の上部空間は所謂デッドースペースとなり、輸送コストが高騰していた。この輸送コストを低減させるため、例えば、前記従来例等においては、各冷却貯蔵庫をパレットに載置して各冷却貯蔵庫毎の梱包とし、段積み搭載できる形態を採るようにしている。しかし、かかる梱包状態を構成するためのパレット等の梱包費用が高コストとなっていた。
【０００５】
本発明は係る問題を解決するためになされたもので、複数の冷却貯蔵庫を段積み搭載可能とすることにより、輸送費用と梱包費用とを低減させた冷却貯蔵庫の梱包装置を提供することを目的とする。
【０００６】
【課題を解決するための手段】
本発明の冷却貯蔵庫の梱包装置は、第１の冷却貯蔵庫の一面に当接する第１の当接部と、前記第１の冷却貯蔵庫の前後への移動を規制する規制部と、この規制部の上方に位置し、第２の冷却貯蔵庫が載置される載置部と、この載置部の上方で前記第２の冷却貯蔵庫の一面に当接する第２の当接部とを有する梱包部材を設け、この梱包部材を前記第１の冷却貯蔵庫の両側に配してこの第1の冷却貯蔵庫の二面に当接させて挟持し、前記第１の冷却貯蔵庫の上方に前記第２の冷却貯蔵庫を載置可能とすると共に、前記梱包部材は連結可能とし、複数の梱包された冷却貯蔵庫を連結する前記梱包部材の少なくとも一方にワイヤを筋交いとして設けたものである。
【０００７】
本発明によれば、冷却貯蔵庫の梱包装置は、前記第１の冷却貯蔵庫の二面に当接させて挟持し、前記第１の冷却貯蔵庫の上方に前記第２の冷却貯蔵庫を載置可能としたので、トラック等に冷却貯蔵庫を段積み搭載することが可能になり、輸送費用を削減することができる。
【０００８】
また、前記梱包部材は連結可能とされているので、複数の冷却貯蔵庫を左右に並設して一体として輸送を行うことができる。
【０００９】
更に、ワイヤを筋交いとして設けているので、連結された前記梱包部材の強度を補強することができる。
【００１０】
【発明の実施の形態】
次に、図面に基づき本発明の実施の形態を説明する。
【００１１】
図１は本発明に係る複数の冷却貯蔵庫の輸送形態を示す斜視図、図２は冷却貯蔵庫と梱包部材とを示す斜視図、図３は複数の冷却貯蔵庫の輸送時の連結状態の概略を示す正面図、図４は複数の冷却貯蔵庫の輸送時の連結状態の概略を示す平面図、図５は冷却貯蔵庫の上方に他の冷却貯蔵庫が載置されている状態を示す側断面図、図６は冷却貯蔵庫の上方に他の冷却貯蔵庫が載置されている状態を示す要部正面図である。
【００１２】
本発明の梱包装置により梱包される冷却貯蔵庫は、オープンショーケース１と称されるもので、スーパーマーケット等の店内に設置される。オープンショーケース１の前上部には、商品収納および取出用の開口２が形成されている。オープンショーケース１の本体は、前壁３、上壁４、後壁５、図示しない底壁、左側板６及び右側板７からなり、これら前壁３等の内部にはたとえば発泡ポリウレタン等の発泡樹脂が断熱材として充填され、図示しない断熱壁を構成している。これら前壁３及び左右の側板の上方は透光性のガラス８で覆われている。
【００１３】
そして、断熱壁の内面より適当な間隔を有して、区画底板９及び図示しない区画板が配設され、この区画底板９等と断熱壁との間の空間が図示しない冷気流路となり、図示しない冷却器用送風機が回転すると、冷気流路内の空気が送風され、冷気流路に流入した空気は図示しない冷却器で冷却されて、上壁４下方の冷気吐出口１１から陳列室１２内に吐出される。冷気吐出口１１から吐出した冷気は、陳列室１２の上面すなわち開口２においてエアーカーテンを形成し、区画底板９の前上方に形成された吸込通路１３から吸い込まれて冷気流路内に戻る。このようにして、陳列室１２内が冷却される。
【００１４】
断熱壁の下面左右両端には下側板１４が、断熱壁の前壁３下方には左右に渡ってキックプレート１５が、オープンショーケース１の下部には、アングルにより凹部１７が形成されており、このアングルの四隅にはキャスター１８が取り付けられている。
【００１５】
かかるオープンショーケース１を輸送する際には、以下のように梱包する。
【００１６】
左梱包部材２０は、図２に示す如く、上角材２１、下角材２２、前角材２３、後角材２４によりロ字状に形成し、上角材２１と下角材２２の略中央部同士に縦桟となる中角材２５が渡されて木枠２６が構成される。この木枠２６を略長方形の薄板２７（本実施例では、板厚１５ｍｍ）に接着剤により接着することにより、これら角材により囲まれた前後の第１の当接部２８が形成される。尚、薄板２７の上辺より少許の間隔が空けられて上角材２１が配置されることにより、薄板２７の上部には第２の当接部２９が形成される。更に、下角材２２の内側面には前後２箇所に第１の下部規制部材３０がそれぞれ設けられ、同様に、上角材２１の内側面にも前後２箇所に第２の下部規制部材３１がそれぞれ設けられている。前角材２３と後角材２４の上下には、前後方向に貫通した前後貫通孔２１Ａと、側面方向に薄板２７にも貫通した側貫通孔２１Ｂとが設けられている。
【００１７】
右梱包部材３２はかかる左梱包部材２０と同一である。
【００１８】
以上のような構成の梱包部材により、オープンショーケース１の梱包は以下のように行う。
【００１９】
まず、前後に背中同士を向き合わせて置かれた２台のオープンショーケース１の側面に左梱包部材２０を押し当てる。このとき、左梱包部材２０の前方の第１の当接部２８に前方のオープンショーケース１の左側板６が当接し、左梱包部材２０の後方の第１の当接部２８に後方のオープンショーケース１の右側板７が当接する。また、前角材２３の後面及び中角材２５の前面には前方のオープンショーケース１の前壁３及び後壁５がそれぞれ当接し、後角材２４の前面及び中角材２５の後面には後方のオープンショーケース１の前壁３及び後壁５がそれぞれ当接する。そして、２台のオープンショーケース１に押し当てられた左梱包部材２０と反対側に、この左梱包部材２０と同一形状の右梱包部材３２を押し当てる。これにより、２台のオープンショーケース１を左梱包部材２０と右梱包部材３２とが挟んだ状態になる。尚、左梱包部材２０及び右梱包部材３２には、オープンショーケースと当接する部分に、損傷を防止するための緩衝材３９が設けられている。
【００２０】
そして、左梱包部材２０と右梱包部材３２の前角材２３の上下に設けられた前後方向の前後貫通孔２１Ａに上アングル３３及び下アングル３４の両端部を当て、ボルト３５を通しナット３６により上アングル３３及び下アングル３４を前角材２３にそれぞれ緩く締める。これにより、上アングル３３及び下アングル３４は左梱包部材２０と右梱包部材３２に渡って緩く固定される。同様に、左梱包部材２０と右梱包部材３２の後角材２４の上下に設けられた前後方向の前後貫通孔２１Ａに上アングル３３及び下アングル３４の両端部３３Ａ、３４Ａを当て、ボルト３５を通しナット３６により上アングル３３及び下アングル３４を後角材２４にそれぞれ緩く締める。これにより、上アングル３３及び下アングル３４は左梱包部材２０と右梱包部材３２に渡って緩く固定される。この状態で、オープンショーケース１は、前角材２３、後角材２４及び中角材２５により前後への移動が規制されている。尚、第１の下部規制部材３０をオープンショーケース１の下部に設けられた凹部１７にそれぞれ当接させると、一層前後方向への移動が規制される。
【００２１】
このとき、オープンショーケース１が前後に２台置かれた上記の状態で、ボルト３５及びナット３６を堅く締めて、左梱包部材２０と右梱包部材３２との間のオープンショーケース１を挟持すれば、フォークリフト等により持ち上げて、前後に２台置かれたオープンショーケース１をトラックに搭載し輸送することができる。
【００２２】
次に、上記梱包状態のオープンショーケース１の上方に、更に他のオープンショーケース１を載置して輸送するには、以下のように行う。
【００２３】
上記の梱包状態（２台のオープンショーケース１が前後に梱包された状態で、ボルト３５及びナット３６を緩く締めた状態）のままで、オープンショーケース１の上方に、更にフォークリフト等により他の２台のオープンショーケース１を持ち上げ、左梱包部材２０及び右梱包部材３２に載置する。このとき、左梱包部材２０及び右梱包部材３２に設けられた第２の当接部２９に、他のオープンショーケース１の左側板６又は右側板７をそれぞれ当接させ、上角材２１にオープンショーケース１の下側板１４をそれぞれ載置すると共に、第２の下部規制部材３１をオープンショーケース１の下部に設けられた凹部１７にそれぞれ当接させる。その後、上記ボルト３５及びナット３６を堅く締めて上方の２台のオープンショーケース１を挟持すると共に、これら４台のオープンショーケース１の上下前後をベルト３７により巻回して締め付ける。
【００２４】
このようにして、左梱包部材２０と右梱包部材３２により、４台のオープンショーケース１が挟持された梱包状態になり、フォークリフト等により持ち上げてトラックに搭載し輸送することができる。このとき、トラック等の荷台には、オープンショーケース１が２段積みで搭載された状態となり、トラック上方のデッドスペースが解消し、輸送コストを略半分に低減することができる。しかも、４台のオープンショーケース１を一体として同時に輸送することができ、輸送作業の効率化を図ることができる。また、左梱包部材２０と右梱包部材３２は同一であるので、部材を共通化することができる。
【００２５】
次に、上記の梱包状態（４台のオープンショーケース１が一緒に梱包された状態）のものを複数並べて、前角材２３及び後角材２４の上下に設けられた側面方向の側貫通孔２１Ｂにボルト３５を通して、ナット３６により向かい合う左梱包部材２０と右梱包部材３２同士を重ね合わせて固定すると、例えば、図１に示す如く、１２台を一緒に輸送作業を行うことも容易である。このとき必要な部材はボルト３５及びナット３６のみであり、多数のオープンショーケース１を安価な費用で連結し同時に輸送することができる。このとき、ワイヤを筋交い３８として追加すれば、更に強度を向上することができる。
【００２６】
尚、オープンショーケース１は背面同士を向き合わせて梱包しているので、通常の個別に梱包する場合に比較してバランスが良く、安定してトラックに搭載し、輸送することができる。
【００２７】
また、本実施の形態にとらわれず、当接部の形状を適宜変更して、側板の形状の異なるオープンショーケース１を複数輸送することも可能である。
【００２８】
【発明の効果】
以上、詳述した如く、本発明によれば、冷却貯蔵庫の梱包装置は、前記第１の冷却貯蔵庫の二面に当接させて挟持し、前記第１の冷却貯蔵庫の上方に前記第２の冷却貯蔵庫を載置可能としたので、トラック等に冷却貯蔵庫を段積み搭載することが可能になり、輸送費用を削減することができる。
【００２９】
また、前記梱包部材は連結可能とされているので、複数の冷却貯蔵庫を左右に並設して一体として輸送を行うことができる。
【００３０】
更に、ワイヤを筋交いとして設けているので、連結された前記梱包部材の強度を補強することができる。
【図面の簡単な説明】
【図１】  本発明に係る複数の冷却貯蔵庫の輸送形態を示す斜視図である。
【図２】  冷却貯蔵庫と梱包部材とを示す斜視図である。
【図３】  複数の冷却貯蔵庫の輸送時の連結状態の概略を示す正面図である。
【図４】  複数の冷却貯蔵庫の輸送時の連結状態の概略を示す平面図である。
【図５】  冷却貯蔵庫の上方に他の冷却貯蔵庫が載置されている状態を示す側断面図である。
【図６】  冷却貯蔵庫の上方に他の冷却貯蔵庫が載置されている状態を示す要部正面図である。
【符号の説明】
１  オープンショーケース
１７  凹部
２０  左梱包部材
２３  前角材
２４  後角材
２５  中角材
２８  第１の当接部
２９  第２の当接部
３１  第２の下部規制部材
３２  右梱包部材
３３  上アングル
３４  下アングル
３７  ベルト
３８  ワイヤ
【図１】
0004225683.tif 000002
【図２】
0004225683.tif 000003
【図３】
0004225683.tif 000004
【図４】
0004225683.tif 000005
【図５】
0004225683.tif 000006
【図６】
0004225683.tif 000007